(57)【特許請求の範囲】
【請求項１】
円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該主部の内周面には雌螺条が配設され、該タンパーエビデント裾部の内周面には係止手段が配設されている合成樹脂製容器蓋において、
該周方向破断ラインは、周方向に間隔をおいて周方向に延びる複数個の第一のスリットと、軸線方向において該第一のスリットの下方又は上方において周方向に間隔をおいて周方向に延びる複数個の第二のスリットと、該第一のスリットと該第二のスリットとの間に位置する複数個の破断可能な橋絡部とから構成されており、該第一のスリットと該第二のスリットとは周方向において互い違いに位置し、該橋絡部は該第一のスリットの各端部と該第二のスリットの各端部との間に存在し、該第二のスリットは周方向長さが長いスリットと周方向長さが短いスリットとを含んでいる、ことを特徴とする合成樹脂製容器蓋。
【請求項２】
該第一のスリット間には第一の連結部が残留せしめられ、該第二のスリット間には第二の連結部が残留せしめられており、該第一のスリットの各々の周方向中心と該第二の連結部の周方向中心とは軸線方向に整合しており、該第二のスリットの各々の周方向中心と該第一の連結部の周方向中心とは軸線方向において整合しており、該第二のスリットの該周方向長さが長いスリットと該周方向長さが短いスリットとは交互に配設されており、該第一のスリットと該第二のスリットとの軸線方向間隔は該第一の連結部及び該第二の連結部の周方向長さよりも短い、請求項１記載の合成樹脂製容器蓋。
【請求項３】
該第一のスリットは全て同一の周方向長さＬ１を有し、該第一の連結部も全て同一の周方向長さＧ１を有する、請求項２記載の合成樹脂製容器蓋。
【発明の詳細な説明】
【技術分野】
【０００１】
本発明は、円形天面壁及びこの天面壁の周縁から垂下する円筒形スカート壁を具備し、スカート壁には周方向に延在する周方向破断ラインが配設されている形態の合成樹脂製容器蓋に関する。
【背景技術】
【０００２】
飲料用容器のための容器蓋として、下記特許文献１に開示されている如く、円形天面壁及びこの天面壁の周縁から垂下する円筒形スカート壁を具備する合成樹脂製容器蓋が広く実用に供されている。スカート壁には周方向に延在する周方向破断ラインが配設されており、スカート壁は周方向破断ラインよりも上方の主部と周方向破断ラインよりも下方のタンパーエビデント裾部とに区画されている。周方向破断ラインは周方向に間隔をおいて周方向に延びる複数個のスリットとかかるスリット間に位置する複数個の橋絡部とから構成されている。スカート壁の主部の内周面には雌螺条が形成されており、タンパーエビデント裾部の内周面には係止手段が形成されている。
【０００３】
上記のとおりの容器蓋は、上面が開放された全体として円筒形状の口頸部を有する容器に適用される。ポリエチレンテレフタレートの如き適宜の合成樹脂、ガラス或いは金属薄板から形成することができる容器の口頸部の外周面には、雄螺条とこの雄螺条の下方に位置する係止あご部が形成されている。容器内に内容物を充填した後に口頸部を密封する際には、口頸部に容器蓋を被嵌して閉方向に回転せしめる。かくすると、容器蓋の雌螺条が口頸部の雄螺条に螺合せしめられ、回転に応じて口頸部に対して容器蓋が下降せしめられる。タンパーエビデント裾部に形成されている係止手段は、口頸部の係止あご部を弾性的に乗り越えてその下方に位置せしめられる。容器の内容物を消費する際には、容器蓋を開方向に回転せしめる。かくすると、口頸部の雄螺条と容器蓋の雌螺条との協働によって容器蓋は回転と共に上昇せしめられる。しかしながら、タンパーエビデント裾部はその内周面に形成されている係止手段が口頸部の係止あご部に係止することによって上昇が阻止され、これに起因して周方向破断ラインに応力が生成され、周方向破断ラインが破断、更に詳細にはその複数個の橋絡部が破断され、タンパーエビデント裾部がスカート壁の主部から分離される。しかる後においては、タンパーエビデント裾部を除いて容器蓋は回転と共に上昇して口頸部から離脱され、口頸部が開封される。
【先行技術文献】
【特許文献】
【０００４】
【特許文献１】特開２０１１−１４３９４２号公報
【発明の概要】
【発明が解決しようとする課題】
【０００５】
而して、上述した形態の従来の容器蓋には、容器の口頸部を開封する際の所謂必要二次トルク、即ちスカート壁に配設されている周方向破断ライン、更に詳しくはその橋絡部を破断する際の必要トルク、が比較的大きく、開封操作が必ずしも容易ではない、という問題が存在する。かかる問題を解決するためには、周方向破断ラインにおける橋絡部の破断強度を低減せしめることが意図されるが、橋絡部の破断強度を低減せしめると容器の口頸部に容器蓋を装着して口頸部を密封する際に橋絡部の一部が破断されてしまう虞が発生する。
【０００６】
本発明は上記事実に鑑みてなされたものであり、その主たる技術的課題は、容器の口頸部に容器蓋を装着する際に周方向破断ラインにおける橋絡部が破断されてしまうことを充分確実に回避すると共に、口頸部を開封する際のトルクの急激な上昇を回避し必要二次トルクを低減せしめ、かくして充分容易に周方向破断ラインにおける橋絡部を破断することができる、新規且つ改良された合成樹脂製容器蓋を提供することである。
【課題を解決するための手段】
【０００７】
本発明者は、鋭意研究の結果、周方向破断ラインを周方向に間隔をおいて周方向に延びる複数個の第一のスリットと、軸線方向において第一のスリットの下方において周方向に間隔をおいて周方向に延びる複数個の第二のスリットと、第一のスリットと第二のスリットとの間に存在する複数個の橋絡部とから構成され、第二のスリットは周方向長さが長いスリットと周方向長さが短いスリットとを含む独特な形態にせしめることによって上記主たる技術的課題を達成することができることを見出した。
【０００８】
即ち、本発明によれば、上記主たる技術的課題を達成する合成樹脂製容器蓋として、円形天面壁及び該天面壁の周縁から垂下する円筒形スカート壁を具備し、該スカート壁には周方向に延在する周方向破断ラインが配設されており、該スカート壁は該周方向破断ラインよりも上方の主部と該周方向破断ラインよりも下方のタンパーエビデント裾部とに区画されており、該主部の内周面には雌螺条が配設され、該タンパーエビデント裾部の内周面には係止手段が配設されている合成樹脂製容器蓋において、
該周方向破断ラインは、周方向に間隔をおいて周方向に延びる複数個の第一のスリットと、軸線方向において該第一のスリットの下方又は上方において周方向に間隔をおいて周方向に延びる複数個の第二のスリットと、該第一のスリットと該第二のスリットとの間に位置する複数個の破断可能な橋絡部とから構成されており、該第一のスリットと該第二のスリットとは周方向において互い違いに位置し、該橋絡部は該第一のスリットの各端部と該第二のスリットの各端部との間に存在し、該第二のスリットは周方向長さが長いスリットと周方向長さが短いスリットとを含んでいる、ことを特徴とする合成樹脂製容器蓋が提供される。
【０００９】
該第一のスリット間には第一の連結部が残留せしめられ、該第二のスリット間には第二の連結部が残留せしめられており、該第一のスリットの各々の周方向中心と該第二の連結部の周方向中心とは軸線方向に整合しており、該第二のスリットの各々の周方向中心と該第一の連結部の周方向中心とは軸線方向において整合しており、該第二のスリットの該周方向長さが長いスリットと該周方向長さが短いスリットとは交互に配設されており、該第一のスリットと該第二のスリットとの軸線方向間隔は該第一の連結部及び該第二の連結部の周方向長さよりも短いのが好適である。好ましくは、該第一のスリットは全て同一の周方向長さＬ１を有し、該第一の連結部も全て同一の周方向長さＧ１を有する。
【発明の効果】
【００１０】
本発明の合成樹脂製容器蓋においては、第一のスリット及び第二のスリットの存在に起因して橋絡部の近傍においてスカート壁が弾性的に変形せしめられ、かかる弾性変形によって橋絡部の弾性変形及び塑性変形が緩衝される故に、容器の口頸部に容器蓋を装着する際に橋絡部が破断されることが充分確実に回避される。一方、橋絡部を破断して容器の口頸部を開封する際には、第一のスリット及び第二のスリットの存在に起因するスカート壁の弾性変形並びに橋絡部の弾性変形及び塑性変形が経時的に発生し、そしてまた第二のスリットは周方向長さが長いスリットと周方向長さが短いスリットを含んでいる故に橋絡部の破断が同時ではなくて段階的に遂行され、橋絡部の破断に必要なトルクが瞬時的に増大せしめられるのではなくて経時的に分散され、かくして過大な必要二次トルクを必要とすることなく充分容易に橋絡部を破断せしめることができる。更にまた、橋絡部が破断される際には第一のスリット及び第二のスリットが変形され、これによって口頸部の密封解除が一層明確に表示される（所謂タンパーエビデント表示が一層明確になる）。
【図面の簡単な説明】
【００１１】
【図１】容器蓋の形態を、一部を断面図で示す正面図。
【図２】図１の容器蓋における周方向破断ラインが配設されている部位を展開して示す部分展開図。
【図３】図１の容器蓋を、容器の口頸部に装着した後に容器蓋を開方向に回転して口頸部から離脱する際の初期状態を示す正面図。
【図４】図３に示す状態から容器蓋を更に開方向に回転して周方向破断ラインを破断した直後の状態を示す正面図。
【図５】本発明に従って構成された容器蓋の好適例における周方向破断ラインが配設されている部位を展開して示す部分展開図。
【発明を実施するための形態】
【００１２】
以下、容器蓋の形態を図示している添付図面を参照して、更に詳細に説明する。
【００１３】
図１を参照して説明すると、ポリエチレン又はポリプロピレンの如き適宜の合成樹脂から一体に射出又は圧縮成形することができる、全体を番号２で示す容器蓋は、円形天面壁４及びこの天面壁４の周縁から垂下する円筒形スカート壁６を具備している。天面壁４の内面周縁部には、同心状に配設された円筒形状の内側シール片８及び円筒形状の外側シール片１０と共に半径方向に見て内側シール片８と外側シール片１０との間に位置する環状突条１２が形成されている。スカート壁６には周方向に延在する周方向破断ライン１４が配設されており、スカート壁６は周方向破断ライン１４よりも上方の主部１６と周方向破断ライン１４よりも下方のタンパーエビデント裾部１８とに区画されている。周方向破断ライン１４については後に更に詳述する。
【００１４】
スカート壁６の主部１６の外周面下端部には環状突条１９が形成されている。そして、スカート壁６の主部１６における環状突条１９よりも上方の領域には、そこに掛けられる使用者の指の滑りを防止するための凹凸形状（即ち周方向に交互に位置する凸部及び凹部）２０が形成されている。スカート壁６の主部１６の内周面には雌螺条２２が形成されている。一方、タンパーエビデント裾部１８の内周面には係止手段２４が配設されている。図示の実施形態においては、係止手段２４は周方向に間隔をおいて配設された複数個の係止片２６から構成されており、係止片２６の各々の縦断面形状は略直角三角形状であり、半径方向内方に向かって若干下方に傾斜して延出する上面、略円弧形状である内面及び下方に向かって半径方向外方に傾斜する下面を有する。
【００１５】
図１と共に図２を参照して説明を続けると、容器蓋２においては、周方向破断ライン１４が、周方向に間隔をおいて周方向に延びる複数個の第一のスリット２８と、軸線方向において第一のスリット２８の下方において周方向に間隔をおいて周方向に延びる複数個の第二のスリット３０と、第一のスリット２８と第二のスリット３０との間に存在する複数個の橋絡部３２とから構成されていることが重要である。図示の形態においては、周方向に間隔をおいて形成された複数個の第一のスリット２８は全て同一の周方向長さＬ１を有し、第一のスリット２８間には全て同一の周方向長さＧ１を有する第一の連結部３４が残留せしめられている。同様に、周方向に間隔をおいて形成された複数個の第二のスリット３０は全て同一の周方向長さＬ２を有し、第二のスリット３０間には全て同一の周方向長さＧ２を有する第二の連結部３６が残留せしめられている（後に更に言及する如く、本発明の容器蓋においては、第二のスリットは周方向長さが長いスリットと周方向長さが短いスリットを含んでいることが重要である）。更に、第一のスリット２８の周方向中心と第二の連結部３６の周方向中心とは軸線方向に整合せしめられており、第二のスリット３０の周方向中心と第一の連結部３４の周方向中心とも軸線方向に整合せしめられている。複数個の橋絡部３２の各々は第一のスリット２８の各端部と第二のスリット３０の各端部との間に存在する。第一のスリット２８と第二のスリット３０との軸線方向間隔Ｘは第一の連結部３４の周方向長さＧ１及び第二の連結部３６の周方向長さＧ２よりも短く（Ｘ＜Ｇ１、Ｘ＜Ｇ２）、０．２ｍｍ≦Ｘ≦０．８ｍｍであるのが好ましい。軸線方向間隔Ｘが過小になると口頸部に容器蓋２を装着する際に橋絡部３２が破断される虞があり、過大になると開封時に橋絡部３２を破断するのに要する必要トルクが過大になってしまう。また、第一のスリット２８の各端部と第二のスリット３０の各端部との軸線方向において重複する重複部分の周方向長さＹは０．０ｍｍ＜Ｙ≦２．０ｍｍ、特に０．１ｍｍ≦Ｙ≦２．０ｍｍであることが好ましい。重複部分が存在しない場合には橋絡部３２の破断が不安定になり、重複部分の長さが過大になると橋絡部３２の破断が口頸部の開封後になってしまう虞が発生する。
【００１６】
図１には、容器蓋２と共にこの容器蓋２が提供される容器の口頸部も二点鎖線で図示されている。ポリエチレンテレフタレートの如き適宜の合成樹脂或いはガラスから形成することができる容器の、全体を番号３８で示す口頸部は、全体として円筒形状であり、上面は開口されている。口頸部３８の外周面には、雄螺条４０、この雄螺条４０の下方に位置する係止あご部４２、及び係止あご部４２の更に下方に位置するサポートリング４４が形成されている。当業者には周知の如く、サポ−トリング４４は容器を搬送する際に利用される。
【００１７】
容器内に清涼飲料の如き内容物を充填した後に、口頸部３８に容器蓋２を装着して口頸部３８を密封する際には、口頸部３８に容器蓋２を被嵌して容器蓋２を閉方向、即ち図１において上方から見て時計方向に回転せしめる。かくすると、容器蓋２の雌螺条２２が口頸部３８の雄螺条４０に螺合され、容器蓋２は回転と共に相対的に下降せしめられる。容器蓋２が所要位置、即ち図１に図示する位置、まで下降せしめられると、容器蓋２の天面壁４の内面に形成されている環状突条１２が口頸部３８の頂面に当接せしめられると共に、容器蓋２の天面壁４の内面に形成されている内側シール片８及び外側シール片１０が夫々口頸部３８の内周面及び外周面に密接乃至当接せしめられ、かくして口頸部３８が密封される。タンパーエビデント裾部１８の内周面に形成されている係止片２６は口頸部３８の係止あご部４２を弾性的に乗り越えてその下方に位置せしめられる。この際には、周方向破断ライン１４の橋絡部３２に応力が生成されるが、周方向破断ライン１４が周方向に間隔をおいて周方向に延びる複数個の第一のスリット２８と、軸線方向において第一のスリット２８の下方において周方向に間隔をおいて周方向に延びる複数個の第二のスリット３０と、第一のスリット２８と第二のスリット３０との間に存在する複数個の橋絡部３２とから構成された独特な形態である故に、橋絡部３２近傍においてスカート壁６が弾性的に変形され、かかる弾性変形によって橋絡部３２に作用する応力が低減される。かくして、口頸部３８に容器蓋２を装着する際に周方向破断ライン１４が破断されてしまうことが充分確実に防止される。
【００１８】
図１を参照して説明を続けると、容器の内容物を消費するために口頸部３８を開封する際には、容器蓋２を開方向、即ち図１において上方から見て反時計方向、に回転せしめる。かくすると、雌螺条２２と雄螺条４０との協働によって容器蓋２の天面壁４と共にスカート壁６の主部１６は回転と共に相対的に上昇せしめられる。一方、タンパーエビデント裾部１８は、その内周面に形成されている係止片２６が口頸部３８の係止あご部４２に係止せしめられる故に上昇が阻止される。従って、周方向破断ライン１４の橋絡部３２に応力が生成され、橋絡部３２が破断される。而して、本発明に従って構成された容器蓋２においては、周方向破断ライン１４が周方向に間隔をおいて周方向に延びる複数個の第一のスリット２８と、軸線方向において第一のスリット２８の下方において周方向に間隔をおいて周方向に延びる複数個の第二のスリット３０と、第一のスリット２８と第二のスリット３０との間に存在する複数個の橋絡部３２とから構成された独特な形態である故に、図３に図示する如く橋絡部３２の破断に先立って橋絡部３２近傍が弾性変形乃至塑性変形され、第一のスリット２８の下縁が軸線方向下方に凸に拡張され、第二のスリット３０の上縁が軸線方向上方に凸に拡張され、かような変形に続いて、図４に図示する如く、橋絡部３２の破断が進行する。橋絡部３２の破断が瞬時的に遂行されるのではなく、橋絡部３２近傍における弾性変形及び塑性変形に続いて経時的に遂行される故に（後に更に言及するとおり、本発明の容器蓋においては、第二のスリットは周方向長さが長いスリットと周方向長さが短いスリットを含んでいる故に橋絡部の破断が同時ではなくて段階的に遂行され）、橋絡部３２を破断するのに要する所謂二次トルクが時間的に分散され、急激に且つ瞬時的に過大になってしまうことが可及的に防止される。周方向破断ライン１４の橋絡部３２が破断されてタンパーエビデント裾部１８が主部１６から分離された後においては、容器蓋２の天面壁４及びスカート壁６の主部１６は回転と共に自由に上昇せしめられて口頸部３４から離脱され、かくして口頸部３８が開封される。
【００１９】
図５は第二のスリットの好適例を図示している。図５に図示する好適例においては、第二のスリット３０の周方向長さは全て同一ではなく、周方向長さが比較的長い第二のスリット３０ａと周方向長さが比較的短い第二のスリット３０ｂとが交互に配設されている（従って、橋絡部３２の周方向長さが夫々異なる）。勿論、比較的長い第二のスリット３０ａを複数個連続して配設し比較的短い第二のスリット３０ｂを１個又は数個介在せしめる、或いは比較的短い第二のスリット３０ｂを複数個連続して配設し比較的長い第一のスリット３０ａを１個又は数個介在せしめることもできる。第一のスリット３０と第二のスリット３２との軸線方向間隔を適宜に変動せしめることもできる。かような好適例においては、橋絡部３２の強度が適宜に変動せしめられ、口頸部の開封の際に橋絡部３２の破断が同時ではなくて段階的に遂行され、この点からも橋絡部３２の破断に必要なトルクが低減せしめられる。更に付言すると、上記した夫々の好適例における第一のスリット２８と第二のスリット３０の上下関係を逆にすることもできる。
【符号の説明】
【００２０】
２：容器蓋
４：天面壁
６：スカート壁
１４：周方向破断ライン
１６：スカート壁の主部
１８：タンパーエビデント裾部
２２：雌螺条
２４：係止手段
２８：第一のスリット
３０：第二のスリット
３２：橋絡部
３４：第一の連結部
３６：第二の連結部
３８：口頸部
４０：雄螺条
４２：係止あご部
【図１】
0005995465.tif 000002
【図２】
0005995465.tif 000003
【図３】
0005995465.tif 000004
【図４】
0005995465.tif 000005
【図５】
0005995465.tif 000006